(57)【特許請求の範囲】
【請求項１】
下記式（１）で表されるペリミジン系スクアリリウム色素の異性体のうち少なくとも１種を含有し、
吸収スペクトルにおいて吸収波長が７６８ｎｍ以上７９８ｎｍ以下である範囲に吸収ピークを有する前記ペリミジン系スクアリリウム色素の含有量が、前記ペリミジン系スクアリリウム色素の異性体全体に対して１モル％未満である、画像形成材料。
【化１】
0005526765.tif 000011
【請求項２】
１−ヘキサノールを含む溶媒を用いて下記式（２）で表されるペリミジン中間体と下記式（３）で表されるスクアリン酸とを反応させて得られた下記式（１）で表されるペリミジン系スクアリリウム色素を含有する画像形成材料。
【化２】
0005526765.tif 000012
【化３】
0005526765.tif 000013
【化４】
0005526765.tif 000014
【請求項３】
電子写真用トナー、インクジェットプリンター用インク、又は活版、オフセット、フレキソ、グラビア若しくはシルク印刷用のインクである、請求項１又は請求項２に記載の画像形成材料。
【請求項４】
１−ヘキサノールを含む溶媒を用い、下記式（２）で表されるペリミジン中間体と下記式（３）で表されるスクアリン酸とを反応させて、下記式（１）で表されるペリミジン系スクアリリウム色素を合成する合成工程を有する、画像形成材料の製造方法。
【化５】
0005526765.tif 000015
【化６】
0005526765.tif 000016
【化７】
0005526765.tif 000017
【請求項５】
下記式（１）で表されるペリミジン系スクアリリウム色素の異性体のうち少なくとも１種を含有し、
吸収スペクトルにおいて吸収波長が７６８ｎｍ以上７９８ｎｍ以下である範囲に吸収ピークを有する前記ペリミジン系スクアリリウム色素の含有量が、前記ペリミジン系スクアリリウム色素の異性体全体に対して１モル％未満である、色素含有組成物。
【化８】
0005526765.tif 000018
【請求項６】
１−ヘキサノールを含む溶媒を用いて下記式（２）で表されるペリミジン中間体と下記式（３）で表されるスクアリン酸とを反応させて得られた下記式（１）で表されるペリミジン系スクアリリウム色素を含有する色素含有組成物。
【化９】
0005526765.tif 000019
【化１０】
0005526765.tif 000020
【化１１】
0005526765.tif 000021
【請求項７】
１−ヘキサノールを含む溶媒を用い、下記式（２）で表されるペリミジン中間体と下記式（３）で表されるスクアリン酸とを反応させて、下記式（１）で表されるペリミジン系スクアリリウム色素を合成する合成工程を有する、色素含有組成物の製造方法。
【化１２】
0005526765.tif 000022
【化１３】
0005526765.tif 000023
【化１４】
0005526765.tif 000024
【発明の詳細な説明】
【技術分野】
【０００１】
本発明は、画像形成材料及び色素含有組成物、並びにそれらの製造方法に関する。
【背景技術】
【０００２】
通常の視覚条件では視認性がない不可視的な情報を文書等に記録する方法として、例えば、シリコンによる受光素子（ＣＣＤ等）では検出されるが人間の目では判別できない７５０ｎｍ以上１０００ｎｍ以下の近赤外領域に吸収を有する画像形成材料を使用する方法が挙げられる。
そして、その７５０ｎｍ以上１０００ｎｍ以下の近赤外領域に吸収を有する画像形成材料としては、例えば、ナフタロシアニン色素、スクアリリウム色素、クロコニウム色素などを用いた画像形成材料が挙げられる（例えば、下記特許文献１から７を参照）。
【特許文献１】特開平０９−０９０５４７号公報
【特許文献２】特開平０９−１１９８６７号公報
【特許文献３】特表平０９−５０９５０３号公報
【特許文献４】特開２０００−２０７５１２号公報
【特許文献５】特開２００１−２９４７８５号公報
【特許文献６】特開２００２−２７８０２３号公報
【特許文献７】特開２００９−２０９２９７号公報
【発明の開示】
【発明が解決しようとする課題】
【０００３】
本発明は、下記範囲の吸収波長に吸収ピークを有するペリミジン系スクアリリウム色素の含有量が下記範囲から外れる場合に比較して、視認されにくい画像が形成される画像形成材料を提供することを目的とする。
【課題を解決するための手段】
【０００４】
前記課題は、以下の本発明により達成される。
すなわち、請求項１に係る発明は、
下記式（１）で表されるペリミジン系スクアリリウム色素の異性体のうち少なくとも1種を含有し、
吸収スペクトルにおいて吸収波長が７６８ｎｍ以上７９８ｎｍ以下である範囲に吸収ピークを有する前記ペリミジン系スクアリリウム色素の含有量が、前記ペリミジン系スクアリリウム色素の異性体全体に対して１モル％未満である、画像形成材料である。
【０００５】
【化１】
0005526765.tif 000002
【０００６】
請求項２に係る発明は、
１−ヘキサノールを含む溶媒を用いて下記式（２）で表されるペリミジン中間体と下記式（３）で表されるスクアリン酸とを反応させて得られた前記式（１）で表されるペリミジン系スクアリリウム色素を含有する画像形成材料である。
【０００７】
【化２】
0005526765.tif 000003
【０００８】
【化３】
0005526765.tif 000004
【０００９】
請求項３に係る発明は、
電子写真用トナー、インクジェットプリンター用インク、又は活版、オフセット、フレキソ、グラビア若しくはシルク印刷用のインクである、請求項１又は請求項２に記載の画像形成材料である。
【００１０】
請求項４に係る発明は、
１−ヘキサノールを含む溶媒を用い、前記式（２）で表されるペリミジン中間体と前記式（３）で表されるスクアリン酸とを反応させて、前記式（１）で表されるペリミジン系スクアリリウム色素を合成する合成工程を有する、画像形成材料の製造方法である。
【００１１】
請求項５に係る発明は、
前記式（１）で表されるペリミジン系スクアリリウム色素の異性体のうち少なくとも1種を含有し、
吸収スペクトルにおいて吸収波長が７６８ｎｍ以上７９８ｎｍ以下である範囲に吸収ピークを有する前記ペリミジン系スクアリリウム色素の含有量が、前記ペリミジン系スクアリリウム色素の異性体全体に対して１モル％未満である、色素含有組成物である。
【００１２】
請求項６に係る発明は、
１−ヘキサノールを含む溶媒を用いて前記式（２）で表されるペリミジン中間体と前記式（３）で表されるスクアリン酸とを反応させて得られた前記式（１）で表されるペリミジン系スクアリリウム色素を含有する色素含有組成物である。
【００１３】
請求項７に係る発明は、
１−ヘキサノールを含む溶媒を用い、前記式（２）で表されるペリミジン中間体と前記式（３）で表されるスクアリン酸とを反応させて、前記式（１）で表されるペリミジン系スクアリリウム色素を合成する合成工程を有する、色素含有組成物の製造方法である。
【発明の効果】
【００１４】
請求項１に係る発明によれば、上記範囲の吸収波長に吸収ピークを有するペリミジン系スクアリリウム色素の含有量が上記範囲から外れる場合に比較して、視認されにくい画像が形成される。
【００１５】
請求項２に係る発明によれば、上記アルコールを含む溶媒を用いてペリミジン系スクアリリウム色素を得た場合に比較して、視認されにくい画像が形成される。
【００１６】
請求項３に係る発明によれば、電子写真用トナー、インクジェットプリンター用インク、又は活版印刷、オフセット印刷、フレキソ印刷、グラビア印刷若しくはシルク印刷用のインクの各用途において、視認されにくい画像が形成される。
【００１７】
請求項４に係る発明によれば、視認されにくい画像が形成される画像形成材料が得られる。
【００１８】
請求項５に係る発明によれば、上記範囲の吸収波長に吸収ピークを有するペリミジン系スクアリリウム色素の含有量が上記範囲から外れる場合に比較して、視認されにくい画像が形成される。
【００１９】
請求項６に係る発明によれば、上記アルコールを含む溶媒を用いてペリミジン系スクアリリウム色素を得た場合に比較して、視認されにくい画像が形成される。
【００２０】
請求項７に係る発明によれば、視認されにくい画像が形成される色素含有組成物が得られる。
【図面の簡単な説明】
【００２１】
【図１】ペリミジン系スクアリリウム色素を逆相系高速液体クロマトグラフィー法により分析した結果を示すグラフである。
【図２】図１のピークＡ（保持時間１１．９５６分のピーク）を示すペリミジン系スクアリリウム色素の吸収スペクトルである。
【発明を実施するための最良の形態】
【００２２】
以下、本発明の好適な実施形態について詳細に説明する。
［画像形成材料］
本実施形態に係る画像形成材料は、下記式（Ｉ）で表されるペリミジン系スクアリリウム色素（以下、「ペリミジン系スクアリリウム色素」と称する場合がある）を含有する。
【００２３】
【化４】
0005526765.tif 000005
【００２４】
また、本実施形態に係る画像形成材料は、吸収スペクトルにおいて吸収波長が７６８ｎｍ以上７９８ｎｍ以下である範囲（以下、「特定波長」と称する場合がある）に吸収ピークを有する前記ペリミジン系スクアリリウム色素（以下「特定波長吸収ペリミジン系スクアリリウム色素」と称する場合がある）の含有量が、ペリミジン系スクアリリウム色素全体に対して１モル％未満である。
すなわち、ペリミジン系スクアリリウム色素には複数の異性体が存在し、それらの異性体のうち、上記特定波長に吸収ピークを有する異性体の含有量が１モル％未満である。
【００２５】
ここで、上記ペリミジン系スクアリリウム色素の異性体を説明するために、ペリミジン系スクアリリウム色素を高速液体クロマトグラフィー法（以下、「ＨＰＬＣ」と称する場合がある）により分析した結果を図１に示す。なお、図１に示すグラフの横軸は保持時間（分）である。また図１に示すグラフの縦軸は検出強度であり、具体的には検出波長２５４ｎｍにおける吸光度（ｍＡｂｓ）である。
【００２６】
図１に示すグラフから分かるように、前記ペリミジン系スクアリリウム色素をＨＰＬＣにより分析すると、ペリミジン系スクアリリウム色素に由来するピークが複数表れる。
その複数のピークは、具体的には、保持時間が１２±１分に現れるピーク（以下、「ピークＡ」と称する場合がある）、保持時間が４２±１分に現れるピーク（以下、「ピークＢ」と称する場合がある）、保持時間が４６±２分に現れるピーク（以下、「ピークＣ」と称する場合がある）、保持時間が５０±２分に現れるピーク（以下、「ピークＤ」と称する場合がある）、及び保持時間が５７±２分に現れるピーク（以下、「ピークＥ」と称する場合がある）によって構成されている。なお、上記保持時間は、小数点第１位を四捨五入して得られた値である。
【００２７】
上記複数のピーク（すなわち上記ピークＡからピークＥ）を示す化合物は、上記式（１）で表される化合物の異性体であると考えられる。すなわち、上記式（１）で表される化合物には、少なくとも５種類の異性体が存在すると考えられる。
そして上記複数のピークのうち、ピークＡを示すペリミジン系スクアリリウム色素の吸収スペクトルを図２に示す。図２に示すように、ピークＡを示すペリミジン系スクアリリウム色素は、７８８ｎｍ付近（すなわち上記特定波長）に吸収ピークを有する。そして、ピークＢからピークＥを示すペリミジン系スクアリリウム色素はいずれも、上記特定波長には吸収ピークを有さず、吸収波長８００ｎｍ以上において吸収ピークを有する。
【００２８】
すなわち本実施形態においては、上記ＨＰＬＣによる分析において、ピークＡからピークＥにおけるピーク面積の合計に対し、ピークＡにおけるピーク面積が１％未満（すなわち、ピークＡが検出されないか、又は検出された場合においてもピーク面積が１％未満）である。
そして本実施形態の画像形成材料では、上記のように特定波長吸収ペリミジン系スクアリリウム色素の含有量が上記範囲であることにより、視認されにくい画像（すなわち、不可視性の優れた画像）が形成される。
【００２９】
本実施形態の画像形成材料を用いると視認されにくい画像が形成される理由は定かではないが、以下のように推測される。
ペリミジン系スクアリリウム色素は４００ｎｍ以上７５０ｎｍ以下の可視光波長領域における吸光度が低く、かつ、７５０ｎｍ以上１０００ｎｍ以下の近赤外光波長領域における吸光度が高いという性質を有する。そのため、ペリミジン系スクアリリウム色素を含む画像形成材料を用いて不可視情報を形成すると、情報の不可視性と不可視情報の読み取りやすさとが両立される。
【００３０】
しかしペリミジン系スクアリリウム色素の異性体の１つである上記特定波長吸収ペリミジン系スクアリリウム色素は、上記特定波長に吸収ピークを有している。そのため、その他の異性体（上記特定波長に吸収ピークを有さないペリミジン系スクアリリウム色素）と比較すると、相対的に上記可視光波長領域における吸光度は高くなる。すなわち、特定波長吸収ペリミジン系スクアリリウム色素の含有量が上記範囲であれば、相対的に可視光波長領域における吸光度が高い異性体の含有量が少ないため、ペリミジン系スクアリリウム色素全体における可視光波長領域の吸光度も低くなる。よって、そのようなペリミジン系スクアリリウム色素を用いた本実施形態の画像形成材料では、より視認されにくい画像が形成されると考えられる。
なお、本明細書において、「不可視」とは、可視光において、目視により認識されにくい（即ち、理想的には不可視である）ことを意味する。
【００３１】
ここで、上記ＨＰＬＣによる分析方法は以下の通りである。
まず、ペリミジン系スクアリリウム色素をＴＨＦに溶解させ、１×１０−４ｍｏｌ／Ｌ以下のＴＨＦ溶液を調整する。なお溶媒のＴＨＦとしては、例えばＨＰＬＣ用ＴＨＦが用いられる。また上記ＴＨＦ溶液の調整においては、ペリミジン系スクアリリウム色素が溶解するように、例えばＴＨＦ溶液に超音波を３０分照射してもよい。
【００３２】
分析装置としては、例えば、高速液体クロマトグラフィー装置（ＨＰＬＣ装置、製造元：島津製作所、型番：ＬＣ−１０Ａ）が用いられる。
ＨＰＬＣ用カラムとしてはオクタデシルシリルカラム（ＯＤＳカラム）が用いられ、具体的には、例えば製造元：株式会社ケムコ、商品名：ＣＨＥＭＣＯＳＯＲＢ、品番：５−ＯＤＳ−Ｈ、内径：４．６ｍｍ、長さ：１５０ｍｍのものが挙げられる。ここで、オクタデシルシリルカラムとは、オクタデシルシリル基で表面が修飾された化学結合型多孔性球状シリカゲルが固定相として充填されているカラムである。
また測定条件としては、例えば、カラム温度：４５℃、測定サンプルの注入量：１０μｌ、測定サンプルの流量：１ｍｌ／ｍｉｎ、検出波長：２５４ｎｍ、移動相：アセトニトリルと水との混合溶液（体積比は、アセトニトリル：水＝８：２）の条件が挙げられる。
【００３３】
また、上記吸収スペクトルの測定方法は、以下の通りである。具体的には、上記高速液体クロマトグラフィー装置（ＨＰＬＣ装置、製造元：島津製作所、型番：ＬＣ−１０Ａ）に接続されたダイオードアレイ検出器（島津製作所製、型番：ＳＰＤ−Ｍ１０ＡＶ）を用い、室温（２５℃）の条件において、ＨＰＬＣで分離されたそれぞれの異性体における吸収スペクトルの測定を行う。
【００３４】
本実施形態においては、上記の通りペリミジン系スクアリリウム色素全体に対する特定波長吸収ペリミジン系スクアリリウム色素の含有量が１モル％未満であり、０．１モル％以下であることが好ましく、上記ＨＰＬＣ分析における検出限界量（すなわち０．０１モル％）以下であることがより好ましい。すなわち上記ＨＰＬＣによる分析において、ピークＡからピークＥにおけるピーク面積の合計に対し、ピークＡにおけるピーク面積が１％未満であり、０．１％以下が好ましく、ピークＡが検出されないことがより好ましい。
【００３５】
本実施形態の画像形成材料では、ペリミジン系スクアリリウム色素が粒子として含有されることが好ましい。画像形成材料中にペリミジン系スクアリリウム色素が粒子として含有される場合、粒子の体積平均粒径としては、例えば、１０ｎｍ以上３００ｎｍ以下の範囲が挙げられ、２０ｎｍ以上２００ｎｍ以下の範囲が好ましく挙げられる。
【００３６】
＜その他の成分＞
本実施形態の画像形成材料は、後述するようにペリミジン系スクアリリウム色素以外の成分を更に含有してもよいが、画像形成材料全体に対するペリミジン系スクアリリウム色素の含有量が０．０５重量％以上３重量％以下であることが好ましく、０．１重量％以上２重量％以下がより好ましい。
【００３７】
本実施形態における画像形成材料の用途は特に制限されないが、例えば、電子写真用トナー、インクジェットプリンター用インク、又は活版印刷、オフセット印刷、フレキソ印刷、グラビア印刷、若しくはシルク印刷用のインクなどの用途が挙げられる。
【００３８】
本実施形態の画像形成材料が電子写真用トナーである場合、画像形成材料を１成分現像剤として単独で用いてもよいし、キャリアと組み合わせた２成分現像剤として用いてもよい。キャリアとしては、例えば、芯材上に樹脂被覆層を有する樹脂コートキャリアが挙げられ、この樹脂被覆層には導電粉等が分散されていてもよい。
【００３９】
また、本実施形態の画像形成材料が電子写真用トナーである場合、当該画像形成材料は結着樹脂を含有してもよい。結着樹脂としては、例えば、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体又は共重合体が挙げられる。その中でも特に代表的な結着樹脂としては、例えば、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン等が挙げられる。さらに、ポリエステル、ポリウレタン、エポキシ樹脂、シリコーン樹脂、ポリアミド、変性ロジン、パラフィンワックス等も結着樹脂として使用してもよい。
【００４０】
また、本実施形態の画像形成材料が電子写真用トナーである場合、当該画像形成材料は、必要に応じて帯電制御剤、オフセット防止剤等を更に含有してもよい。
帯電制御剤としては正帯電用のものと負帯電用のものがあり、正帯電用の帯電制御剤としては、例えば、第４級アンモニウム系化合物が挙げられる。また、負帯電用の帯電制御剤としては、例えば、アルキルサリチル酸の金属錯体、極性基を含有したレジンタイプの帯電制御剤等が挙げられる。オフセット防止剤としては、例えば、低分子量ポリエチレン、低分子量ポリプロピレン等が挙げられる。
【００４１】
また、本実施形態の画像形成材料が電子写真用トナーである場合、無機粒子又は有機粒子を外添剤としてトナー表面に添加してもよい。無機粒子としては、例えば、シリカ、アルミナ、チタニア、炭酸カルシウム、炭酸マグネシウム、リン酸カルシウム、酸化セリウム等が挙げられる。無機粒子には、目的に応じて表面処理を施してもよい。有機粒子としては、例えば、フッ化ビニリデン、メチルメタクリレート、スチレン−メチルメタクリレート等を構成成分とする乳化重合体又はソープフリー重合体等が挙げられる。
【００４２】
本実施形態の画像形成材料がインクジェットプリンター用インクである場合、画像形成材料は、水を含有する水性インクの態様をとってもよい。また画像形成材料が水性インクである場合、インクの乾燥防止及び浸透性の向上のために、水溶性の有機溶剤を更に含有してもよい。
水としては、例えば、イオン交換水、限外濾過水、純水等が挙げられる。
【００４３】
また、有機溶媒としては、例えば、エチレングリコール、ジエチレングリコール、ポリエチレングリコール、グリセリン等の多価アルコール類、Ｎ−アルキルピロリドン類、酢酸エチル、酢酸アミル等のエステル類、メタノール、エタノール、プロパノール、ブタノール等の低級アルコール類、メタノール、ブタノール、フェノールのエチレンオキサイドまたはプロピレンオキサイド付加物等のグリコールエーテル類等が挙げられる。使用される有機溶媒は１種類でも２種類以上でもよい。
有機溶媒は、吸湿性、保湿性、ペリミジン系スクアリリウム色素の溶解度、浸透性、インクの粘度、氷点等を考慮して選択される。インクジェットプリンター用インク中の有機溶媒の含有率としては、例えば、１重量％以上６０重量％以下の範囲が挙げられる。
【００４４】
また、本実施形態の画像形成材料がインクジェットプリンター用インクである場合、画像形成材料は必要に応じて添加物を含有してもよい。上記添加物としては、例えば、ｐＨ調製剤、比抵抗調製剤、酸化防止剤、防腐剤、防カビ剤、金属封鎖剤等が挙げられる。
ｐＨ調整剤としては、例えば、アルコールアミン類、アンモニウム塩類、金属水酸化物等が挙げられる。また、比抵抗調製剤としては、例えば、有機塩類、無機塩類が挙げられる。金属封鎖剤としては、例えば、キレート剤等が挙げられる。
【００４５】
また、本実施形態の画像形成材料がインクジェットプリンター用インクである場合、噴封ノズル部の閉塞やインク吐出方向の変化等が生じない程度に、ポリビニルアルコール、ポリビニルピロリドン、カルボキシメチルセルロース、スチレン−アクリル酸樹脂、スチレン−マレイン酸樹脂等の水溶性樹脂を画像形成材料に含有させてもよい。
【００４６】
本実施形態の画像形成材料が活版印刷、オフセット印刷、フレキソ印刷、グラビア印刷又はシルク印刷用のインクである場合、当該画像形成材料はポリマーや有機溶剤を含有する油性インクの態様をとってもよい。
ポリマーとしては、例えば、蛋白質、ゴム、セルロース類、シエラック、コパル、でん粉、ロジン等の天然樹脂；ビニル系樹脂、アクリル系樹脂、スチレン系樹脂、ポリオレフィン系樹脂、ノボラック型フェノール樹脂等の熱可塑性樹脂；レゾール型フェノール樹脂尿素樹脂、メラミン樹脂、ポリウレタン樹脂、エポキシ、不飽和ポリエステル等の熱硬化性樹脂等が挙げられる。
また、有機溶媒としては、例えば、上記インクジェットプリンター用インクの説明において例示された有機溶媒が挙げられる。
【００４７】
また、本実施形態の画像形成材料が活版印刷、オフセット印刷、フレキソ印刷、グラビア印刷又はシルク印刷用のインクである場合、当該画像形成材料は印刷皮膜の柔軟性や強度を向上させるための可塑剤、粘度調整、乾燥性向上のための溶剤、乾燥剤、粘度調整剤、分散剤、各種反応剤等の添加剤を更に含有してもよい。
【００４８】
また本実施形態の画像形成材料は、安定化剤を更に含有してもよい。安定化剤は、励起状態の有機近赤外吸収色素からエネルギーを受け取るものであり、有機近赤外吸収色素の吸収帯よりも長波長側に吸収帯を有するものであることが好ましい。また、安定化剤は、一重項酸素による分解が起こり難く、ペリミジン系スクアリリウム色素と相溶性が高いことが好ましい。このような安定化剤としては、例えば、有機金属錯体化合物が挙げられる。好ましい安定化剤としては、例えば、下記一般式（４）で表される化合物が挙げられる。
【００４９】
【化５】
0005526765.tif 000006
【００５０】
一般式（４）中、Ｒ１からＲ４は同一でも異なっていてもよく、それぞれ置換又は未置換のフェニル基を示す。Ｒ１からＲ４で示されるフェニル基が置換基を有する場合、当該置換基としては、Ｈ、ＮＨ２、ＯＨ、Ｎ（ＣｈＨ２ｈ＋１）２、ＯＣｈＨ２ｈ＋１、ＣｈＨ２ｈ−１、ＣｈＨ２ｈ＋１、ＣｈＨ２ｈＯＨ又はＣｈＨ２ｈＯＣｉＨ２ｉ＋１（ｈは１から１８の整数を示し、ｉは１から６の整数を示す）などが挙げられる。また、Ｘ１からＸ４は同一でも異なっていてもよく、それぞれＯ、Ｓ、Ｓｅを示し、ＹはＮｉ、Ｃｏ、Ｍｎ、Ｐｄ、Ｃｕ、Ｐｔ等の遷移金属を示す。 
【００５１】
上記一般式（４）で表される化合物の中でも、下記式（５）で表される化合物が特に好ましい。
【００５２】
【化６】
0005526765.tif 000007
【００５３】
安定化剤の添加量としては、例えば、ペリミジン系スクアリリウム色素の質量に対して１／１０以上２倍以下の範囲が挙げられる。
【００５４】
＜画像形成材料の製造方法＞
以下、上記本実施形態に係る画像形成材料の製造方法について説明する。
本実施形態に係る画像形成材料の製造方法は、２５℃における誘電率（以下、単に「誘電率」と称する場合がある）が１６（単位：Ｆｍ−１）以下であるアルコールを含む溶媒を用い、前記式（２）で表されるペリミジン中間体と前記式（３）で表されるスクアリン酸とを反応させて、前記式（１）で表されるペリミジン系スクアリリウム色素を合成する合成工程を有する。
なお、本実施形態では、誘電率が１６（単位：Ｆｍ−１）以下であるアルコールとして１−ヘキサノールを用いる製造方法を適用する。
本実施形態においては、上記工程を経て画像形成材料を製造することにより、視認されにくい画像が形成される画像形成材料が得られる。その理由は定かではないが、以下のように推測される。
【００５５】
上記反応を行うためには、アルコールを含む溶媒を用いることが必要であると考えられるが、溶媒中に含まれるアルコールの極性や含有量は、上記反応の速度に影響を与えると考えられる。そして、極性を示す数値である上記誘電率が上記範囲のアルコールを含む溶媒を用いると、上記特定波長吸収ペリミジン系スクアリリウム色素が形成されにくくなると考えられる。よってその結果、上記特定波長吸収ペリミジン系スクアリリウム色素の含有量が上記範囲になり、視認されにくい画像が形成される画像形成材料が得られると推測される。
【００５６】
上記誘電率が上記範囲であるアルコールとしては、例えば、１−ヘキサノール、ベンジルアルコール、１−ペンタノール、イソペンチルアルコール、シクロヘキサノール、３−メチルシクロヘキサノール、４−メチルシクロヘキサノール、１−ヘプタノール、２−ヘプタノール、１−オクタノール等が挙げられ、１種でもよく、２種以上用いられてもよい。
また、上記アルコールの誘電率は、１６（単位：Ｆｍ−１）以下であってもよく、１５（単位：Ｆｍ−１）以下であることが好ましく、１４（単位：Ｆｍ−１）以下であることがより好ましい。
【００５７】
上記溶媒は、誘電率が上記範囲のアルコールからなるものであってもよいが、アルコール以外の成分を含む混合液であってもよい。上記混合液に含まれるアルコール以外の成分としては、例えば上記誘電率が３（単位：Ｆｍ−１）以下である低極性化合物又は無極性化合物が挙げられる。
上記低極性化合物又は無極性化合物としては、例えば、トルエン、ベンゼン、エチルベンゼン、キシレン、メチルシクロヘキサン、エチルシクロヘキサン、オクタン、ノナン等が挙げられ、１種でもよく、２種以上用いられてもよい。
【００５８】
さらに、上記混合液における上記アルコールの含有量は、１質量％以上４０質量％以下であってもよく、４質量％以上３０質量％以下であってもよい。また混合液は、上記誘電率が上記範囲から外れるアルコール（すなわち極性の高いアルコール）を含まないことがよく、仮に含んでいても１０質量％以下であることがよい。
また上記低極性化合物又は無極性化合物の上記誘電率は、３（単位：Ｆｍ−１）以下であってもよく、２（単位：Ｆｍ−１）以下であってもよい。
【００５９】
本実施形態における画像形成材料の製造方法は、上記合成工程を含んでいればよく、その他の工程については特に限定されない。
以下、本実施形態における画像形成材料に用いられるペリミジン系スクアリリウム色素の合成方法について説明する。
【００６０】
−ペリミジン系スクアリリウム色素の合成方法−
ペリミジン系スクアリリウム色素は、例えば以下の反応スキームに従って得られる。
【００６１】
【化７】
0005526765.tif 000008
【００６２】
より具体的には、触媒の存在下で、１，８−ジアミノナフタレンと、３，５−ジメチルシクロヘキサノンとを、溶媒中で共沸還流の条件で反応させることにより、ペリミジン中間体（ａ）が得られる（（Ａ−１）工程）。
【００６３】
前記（Ａ−１）工程に使用する触媒としては、ｐ−トルエンスルホン酸一水和物、ベンゼンスルホン酸一水和物、４−クロロベンゼンスルホン酸水和物、ピリジン−３−スルホン酸、エタンスルホン酸、硫酸、硝酸、酢酸などが挙げられる。また、前記（Ａ−１）工程に使用する溶媒としては、アルコール、芳香族炭化水素などが挙げられる。ペリミジン中間体（ａ）は高速カラムクロマトグラフィーまたは再結晶により精製される。
【００６４】
次に、ペリミジン中間体（ａ）と、３，４−ジヒドロキシシクロブタ−３−エン−１，２−ジオン（「スクアリン酸」又は「四角酸」とも呼ばれる。）とを、溶媒中で共沸還流の条件で反応させることにより、前記ペリミジン系スクアリリウム色素が得られる（（Ａ−２）工程）。該（Ａ−２）工程は、窒素ガス雰囲気で行うことが好ましい。
前記（Ａ−２）工程に使用する溶媒としては、例えば上記誘電率が上記範囲のアルコールを含む溶媒が挙げられる。
【００６５】
また、前記（Ａ−２）工程において、３，４−ジヒドロキシシクロブタ−３−エン−１，２−ジオンに対するペリミジン誘導体（ａ）のモル比（ペリミジン誘導体（ａ）のモル数／３，４−ジヒドロキシシクロブタ−３−エン−１，２−ジオンのモル数）は、１以上４以下であることが好ましく、１．５以上３以下であることがより好ましい。
【００６６】
更に、前記（Ａ−２）工程は、脱水剤を用いると反応時間が短縮し、また、前記構造式（１）で表されるペリミジン系スクアリリウム色素の収率が向上する傾向にある。脱水剤としては、ペリミジン中間体（ａ）及び３，４−ジヒドロキシシクロブタ−３−エン−１，２−ジオンと反応しないものであれば特に制限されないが、オルト蟻酸トリメチル、オルト蟻酸トリエチル、オルト蟻酸トリプロピル、オルト蟻酸トリブチルなどのオルト蟻酸エステル、モレキュラーシーブ等が好適である。
【００６７】
前記（Ａ−２）工程における反応温度は使用する溶媒の種類によって異なるが、反応液の温度が６０℃以上であることが好ましく、７５℃以上であることが特に好ましい。例えば、１−ヘキサノールとトルエンの混合溶媒を用いる場合は、反応液の温度が７５℃以上１２１℃であることが好ましい。
【００６８】
また、前記（Ａ−２）工程における反応時間は、溶媒の種類又は反応液の温度によって異なるが、例えば１−ヘキサノールとトルエンの混合溶媒を用いて反応液の温度を１００℃以上１２１℃以下として反応させる場合、反応時間は２時間以上４時間以下であることが好ましい。
以上のようにして、ペリミジン系スクアリリウム色素が合成される。
【００６９】
本実施形態における画像形成材料の製造方法は、上記合成工程を経て得られたペリミジン系スクアリリウム色素を洗浄する洗浄工程を含んでもよく、また含まなくてもよい。洗浄工程を含む場合、洗浄に用いる溶媒は特に限定されず、具体的には、例えば、アルコール、アセトン、アセトニトリル、ＴＨＦ、テトラヒドロピラン、ジイソプロピルエーテル、クロロホルム、クロロベンゼン、蟻酸エチル、酢酸エチル等が挙げられる。
【００７０】
なお、洗浄に用いる溶媒として、例えば上記誘電率が４（単位：Ｆｍ−１）以上９（単位：Ｆｍ−１）以下である溶媒を用いることにより、上記ＨＰＬＣ分析における上記ピークＤが現れないペリミジン系スクアリリウム色素が得られる。ここで、ピークＤが現れないことは、ピークＤを示すペリミジン系スクアリリウム色素の含有量が上記ＨＰＬＣによる分析の検出限界量以下（０．０１モル％以下）であること示す。このように、ピークＡを示す異性体の含有量が上記範囲であり、かつピークＤを示す異性体の含有量が検出限界量以下であるペリミジン系スクアリリウム色素は、存在する異性体の種類が少ないため、異性体が画像形成材料の特性等に与える影響が小さくなり、画像形成材料の品質安定性が向上すると考えられる。
【００７１】
上記誘電率が４（単位：Ｆｍ−１）以上９（単位：Ｆｍ−１）以下である溶媒としては、具体的には、例えば、ＴＨＦ、クロロホルム、テトラヒドロピラン、ジイソプロピルエーテル、クロロベンゼン、蟻酸エチル、酢酸エチル等が挙げられる。
上記洗浄に用いる溶媒の誘電率としては、４（単位：Ｆｍ−１）以上９（単位：Ｆｍ−１）以下であってもよく、５（単位：Ｆｍ−１）以上８（単位：Ｆｍ−１）以下であってもよい。
【００７２】
また、上記洗浄によってピークＤが現れないようにするためには、上記溶媒を用い、ピークＤを示すペリミジン系スクアリリウム色素の含有量が上記ＨＰＬＣによる分析の検出限界量以下になるまで洗浄を行う方法が挙げられる。なお、上記溶媒を用いて洗浄を行うことによりピークＤが現れないペリミジン系スクアリリウム色素が得られる理由は定かではないが、ピークＤを示すペリミジン系スクアリリウム色素の極性と上記溶媒の極性とが近く、上記溶媒に対するピークＤを示すペリミジン系スクアリリウム色素の溶解度が高いためであると推測される。
【００７３】
本実施形態の画像形成材料は、例えば、以上のようにして得られたペリミジン系スクアリリウム色素と、上述したその他の成分とを混合することによって得られる。
【００７４】
＜画像形成材料の特性＞
本実施形態に係る画像形成材料は、下記式（６）及び（７）で表される条件を満たすことが好ましい。下記式（６）及び（７）で表される条件を満たすことで、画像形成材料の色味によらず、情報の不可視性と不可視情報の読み取りやすさとが両立され、不可視情報が記録された記録媒体における長期信頼性が実現される。
式（６）：０≦ΔＥ≦１１
式（７）：（１００−Ｒ）≧８５
ただし、上記式（６）中、ΔＥは下記式（８）で表されるＣＩＥ１９７６Ｌ＊ａ＊ｂ＊表色系における色差を示し、式（７）中、Ｒ（単位：％）は前記画像部における波長８５０ｎｍの赤外線反射率を示す。
【００７５】
【数１】
0005526765.tif 000009
【００７６】
上記式（８）中、Ｌ１、ａ１、ｂ１はそれぞれ画像形成前における記録媒体表面のＬ値、ａ値、及びｂ値を示し、Ｌ２、ａ２、ｂ２はそれぞれ前記画像形成材料を用いて付着量４ｇ／ｍ２の定着画像を記録媒体表面に形成した時の画像部におけるＬ値、ａ値、及びｂ値を示す。
上記Ｌ１、ａ１、ｂ１、Ｌ２、ａ２、ｂ２は反射分光濃度計を用いて得られる。本実施形態においては、反射分光濃度計として、例えばエックスライト株式会社製、ｘ−ｒｉｔｅ９３９を用いて測定される。
【００７７】
本実施形態に係る画像形成材料を用いて記録された不可視情報は、例えば７５０ｎｍ以上１０００ｎｍ以下のいずれかの波長で発光する半導体レーザーまたは発光ダイオードを光学読み取り用の光源として用い、近赤外光に高い分光感度を有する汎用の受光素子を使用することにより読み出される。受光素子としては、例えば、シリコンによる受光素子（ＣＣＤ等）が挙げられる。
【００７８】
［色素含有組成物］
上述した特定波長吸収ペリミジン系スクアリリウム色素の含有量が１モル％未満であるペリミジン系スクアリリウム色素は、上記画像形成材料に限られず、例えば、赤外光の吸収により発熱する発熱体や赤外線フィルター等に用いる色素含有組成物に適用しても、優れた耐光性が得られる。
【実施例】
【００７９】
以下に本実施形態を、実施例を挙げてより具体的に説明する。但し、本実施形態は以下の実施例に限定されるものではない。
【００８０】
［実施例１］
＜ペリミジン系スクアリリウム色素の調製：二段階合成＞
１，８−ジアミノナフタレン４．８４３ｇ（９８％，３０．０ｍｍｏｌ）、３，５−ジメチルシクロヘキサノン３．８８６ｇ（９８％，３０．２ｍｍｏｌ）、ｐ−トルエンスルホン酸一水和物１０ｍｇ（０．０５３ｍｍｏｌ）とトルエン４５ｍｌの混合液を窒素ガスの雰囲気中に攪拌しながら加熱し、５時間還流させた。反応中にできた水を共沸蒸留により除去した。反応終了後、トルエンを蒸留して得られた暗茶色固体はアセトンで抽出し、アセトンとエタノールの混合溶媒から再結晶することにより精製し、乾燥してから、茶色固体７．４８ｇ（収率９３．６％）を得た。得られた茶色固体の１Ｈ−ＮＭＲスペクトル（ＣＤＣｌ３）による分析結果を以下に示す。
【００８１】
−１Ｈ−ＮＭＲスペクトル（ＣＤＣｌ３）−
δ＝７．２５、７．２３、７．２２、７．２０、７．１７、７．１５（ｍ，４Ｈ，Ｈａｒｏｍ）；６．５４（ｄ×ｄ，Ｊ１＝２３．０５Ｈｚ，Ｊ２＝７．１９Ｈｚ，２Ｈ，Ｈａｒｏｍ）；４．６２（ｂｒ  ｓ，２Ｈ，２×ＮＨ）；２．１１（ｄ，Ｊ＝１２．６８Ｈｚ，２Ｈ，ＣＨ２）；１．７５、１．７１、１．７０、１．６９、１．６７、１．６６（ｍ，３Ｈ，２×ＣＨ、ＣＨ２）；１．０３（ｔ，Ｊ＝１２．６８Ｈｚ，２Ｈ，ＣＨ２）；０．８９（ｄ，Ｊ＝６．３４Ｈｚ，６Ｈ，２×ＣＨ３）；０．６３（ｄ，Ｊ＝１１．７１Ｈｚ，１Ｈ，ＣＨ２）
【００８２】
上記の茶色固体７．９９ｇ（３０．０ｍｍｏｌ）、３，４−ジヒドロキシシクロブタ−３−エン−１，２−ジオン１．５５１ｇ（１３．６ｍｍｏｌ）、１−ヘキサノール１４．７ｇ（１８ｍｌ）とトルエン２３．４ｇ（２７ｍｌ）の混合液を窒素ガスの雰囲気中に攪拌しながら加熱し、５時間還流反応させた。反応中にできた水を共沸蒸留により除去した。反応終了後、１２ｍｌのトルエンを窒素ガスの雰囲気中に蒸留してから、反応混合物を室温まで冷却した。得られた黒茶色沈殿物を吸引濾過し、２−プロパノールおよびアセトンで洗浄し、乾燥後色素化合物Ａ（黒青色粉末）を６．４８ｇ（収率７８％）得た。
【００８３】
得られた色素化合物Ａを、赤外吸収スペクトル（ＫＢｒ錠剤法）、１Ｈ−ＮＭＲ（ＤＭＳＯ‐ｄ６）、ＦＤ−ＭＳ、元素分析、可視近赤外吸収スペクトルなどの分光法により同定した。同定データを以下に示す。同定の結果、得られた化合物が上記式（Ｉ）で表されるペリミジン系スクアリリウム色素であることが確認された。 
【００８４】
−赤外吸収スペクトル（ＫＢｒ錠剤法）−
νｍａｘ＝３４８７、３４２９、３３３６（ＮＨ）,３０５３（＝Ｃ−Ｈ），２９４７（ＣＨ３），２９１４、２９０２（ＣＨ２），２８６４（ＣＨ３），２３６０，１６１８、１５９９、１５５８、１５４１（Ｃ＝Ｃ  ｒｉｎｇ），１４５０、１４２１、１３６３（ＣＨ３、ＣＨ２），１３１５、１２２３、１２０１（Ｃ−Ｎ），１１６３、１１１９（Ｃ−Ｏ−），９４１，９２４，８２２，７８３，７１５ｃｍ−１
【００８５】
−１Ｈ−ＮＭＲスペクトル（ＤＭＳＯ−ｄ６）−
δ＝１０．５２（ｍ，２Ｈ，ＮＨ）；７．８０、７．７８（ｄ，２Ｈ，Ｈａｒｏｍ）；７．３５、７．３３（ｍ，２Ｈ，Ｈａｒｏｍ）；７．２５（ｍ，２Ｈ，ＮＨ）；６．８２、６．８０、６．７８（ｍ，４Ｈ，Ｈａｒｏｍ）；６．７４、６．７２、６．５２、６．５０（ｍ，２Ｈ，Ｈａｒｏｍ）；２．１７（ｍ，５Ｈ，ＣＨ２）；１．９１（ｍ，３Ｈ，ＣＨ２）；１．７１（ｍ，２Ｈ，ＣＨ、ＣＨ２）；１．１５、１．１２（ｍ，４Ｈ，ＣＨ２）；０．９２、０．９１（ｍ，１２Ｈ，４×ＣＨ３）；０．６６（ｍ，２Ｈ，ＣＨ２）
【００８６】
−マススペクトル（ＦＤ）−
ｍ／ｚ＝６１０（Ｍ＋，１００％），６１１（Ｍ＋＋１，４７．５％） 
【００８７】
−元素分析−
Ｃ：７８.６％（実測値）、７８.６６％（計算値）
Ｈ：６.９６％（実測値）、６.９３％（計算値）
Ｎ：９.０２％（実測値）、９.１７％（計算値）
Ｏ：５.４２％（実測値）、５.２４％（計算値）
【００８８】
−可視近赤外吸収スペクトル−
λｍａｘ＝８１１ｎｍ（テトラヒドロフラン溶液中）
εｍａｘ＝１．７６×１０５Ｍ−１ｃｍ−１（テトラヒドロフラン溶液中）
【００８９】
＜画像形成材料１の調整＞
得られた色素化合物Ａを蒸留水（溶媒）中に分散させた分散液（試料濃度０．１６５質量％）４０．４μｌと、ポリスチレンアクリル酸ｎ−ブチルを蒸留水（溶媒）中に分散させた分散液（試料濃度４０質量％）１５μｌと、蒸留水５ｇと、を混合した混合液を、ウルトラタラックスで分散化処理して、混合スラリーとした。得られた混合スラリーにＰＡＣ凝集剤（ポリ塩化アルミニウム）を加えて顔料ラテックス複合体の分散液を調整し、２２０ｎｍフィルターでろ過して画像形成材料１（顔料ラテックス複合体）を得た。なお、画像形成材料１はトナーと同様な色特性を示す複合体である。
【００９０】
−ＨＰＬＣ測定−
得られた画像形成材料１のＨＰＬＣ測定を以下のようにして行った。
まず、画像形成材料１から以下のようにして色素化合物Ａを分離した。具体的には、５ｇの画像形成材料１を１Ｌのアセトンに加えて超音波を３０分照射し、室温（２５℃）に戻るまで静置する。この溶液を、２２０ｎｍフィルターを用いてろ過し、色素化合物Ａを得た。
得られた色素化合物Ａ６．１ｍｇを１００ｍｌのメスフラスコに入れ、ＨＰＬＣ用ＴＨＦを加えて超音波を３０分照射して溶解させ、１００ｍｌのＴＨＦ溶液を調整した。この溶液を用いて、上記装置及び上記条件により色素化合物ＡのＨＰＬＣ測定を行った。その結果、上記ピークＡが検出されず、上記ピークＢからピークＥが検出された。すなわちピークＡのピーク面積は全体の０％であった。
【００９１】
［実施例２］
＜ペリミジン系スクアリリウム色素の調製＞
１−ヘキサノール１４．７ｇ（１８ｍｌ）とトルエン２３．４ｇ（２７ｍｌ）の混合液を用いる代わりに、１−ヘキサノール６．５ｇ（８ｍｌ）とトルエン３４．７ｇ（４０ｍｌ）の混合液を用いた以外は、色素化合物Ａと同様にして、色素化合物Ｂを得た。
【００９２】
＜画像形成材料２の調整＞
色素化合物Ａの代わりに色素化合物Ｂを用いた以外は、画像形成材料１と同様にして画像形成材料２を得た。
【００９３】
−ＨＰＬＣ測定−
得られた画像形成材料２についてのＨＰＬＣ測定を、画像形成材料１と同様にして行った。
その結果、上記ピークＡが検出されず、上記ピークＢからピークＥが検出された。すなわちピークＡのピーク面積は全体の０％であった。
【００９４】
［実施例３］
＜洗浄工程＞
上記色素化合物Ａを以下のようにして洗浄した。
具体的には、色素化合物Ａ５ｇに対してＴＨＦを７５ｍｌ加え、超音波を３０分照射し、溶液が室温に戻ったら不溶物を吸引ろ過により、ろ別した。
上記洗浄工程を、７回繰り返して行い、色素化合物Ｃを得た。
【００９５】
＜画像形成材料３の調整＞
色素化合物Ａの代わりに色素化合物Ｃを用いた以外は、画像形成材料１と同様にして画像形成材料３を得た。
【００９６】
−ＨＰＬＣ測定−
得られた画像形成材料３についてのＨＰＬＣ測定を、画像形成材料１と同様にして行った。
その結果、上記ピークＡ及びピークＤは現れず、ピークＢ、ピークＣ、及びピークＥのみが検出された。すなわち、ピークＡ及びピークＤのピーク面積は、全体の０％である。
【００９７】
［比較例１］
＜ペリミジン系スクアリリウム色素の調製＞
１−ヘキサノール１４．７ｇ（１８ｍｌ）とトルエン２３．４ｇ（２７ｍｌ）の混合液を用いる代わりに、１−ブタノール１２．１ｇ（１５ｍｌ）とトルエン２６．０ｇ（３０ｍｌ）の混合液を用いた以外は、色素化合物Ａと同様にして、色素化合物Ｄを得た。
【００９８】
＜画像形成材料４の調整＞
色素化合物Ａの代わりに色素化合物Ｄを用いた以外は、画像形成材料１と同様にして画像形成材料４を得た。
【００９９】
−ＨＰＬＣ測定−
得られた画像形成材料４についてのＨＰＬＣ測定を、画像形成材料１と同様にして行った。
その結果、上記ピークＡからピークＥが検出され、ピークＡのピーク面積の割合は、ピークＡからピークＥのピーク面積の合計の１．１％であった。
【０１００】
［比較例２］
＜ペリミジン系スクアリリウム色素の調製＞
１−ヘキサノール１４．７ｇ（１８ｍｌ）とトルエン２３．４ｇ（２７ｍｌ）の混合液を用いる代わりに、１−ブタノール１４．６ｇ（１８ｍｌ）とトルエン２３．４ｇ（２７ｍｌ）の混合液を用いた以外は、色素化合物Ａと同様にして、色素化合物Ｅを得た。
【０１０１】
＜画像形成材料５の調整＞
色素化合物Ａの代わりに色素化合物Ｅを用いた以外は、画像形成材料１と同様にして画像形成材料５を得た。
【０１０２】
−ＨＰＬＣ測定−
得られた画像形成材料５についてのＨＰＬＣ測定を、画像形成材料１と同様にして行った。
その結果、上記ピークＡからピークＥが検出され、ピークＡのピーク面積の割合は、ピークＡからピークＥのピーク面積の合計の１．６％であった。
【０１０３】
［比較例３］
＜ペリミジン系スクアリリウム色素の調製＞
１−ヘキサノール１４．７ｇ（１８ｍｌ）とトルエン２３．４ｇ（２７ｍｌ）の混合液を用いる代わりに、１−ブタノール１８．２ｇ（２２．５ｍｌ）とトルエン１９．５ｇ（２２．５ｍｌ）の混合液を用いた以外は、色素化合物Ａと同様にして、色素化合物Ｆを得た。
【０１０４】
＜画像形成材料６の調整＞
色素化合物Ａの代わりに色素化合物Ｆを用いた以外は、画像形成材料１と同様にして画像形成材料６を得た。
【０１０５】
−ＨＰＬＣ測定−
得られた画像形成材料６についてのＨＰＬＣ測定を、画像形成材料１と同様にして行った。
その結果、上記ピークＡからピークＥが検出され、ピークＡのピーク面積の割合は、ピークＡからピークＥのピーク面積の合計の３．０％であった。
【０１０６】
［比較例４］
＜ペリミジン系スクアリリウム色素の調製＞
１−ヘキサノール１４．７ｇ（１８ｍｌ）とトルエン２３．４ｇ（２７ｍｌ）の混合液を用いる代わりに、１−ブタノール２４．３ｇ（３０ｍｌ）とトルエン１３．０ｇ（１５ｍｌ）の混合液を用いた以外は、色素化合物Ａと同様にして、色素化合物Ｇを得た。
【０１０７】
＜画像形成材料７の調整＞
色素化合物Ａの代わりに色素化合物Ｇを用いた以外は、画像形成材料１と同様にして画像形成材料７を得た。
【０１０８】
−ＨＰＬＣ測定−
得られた画像形成材料７についてのＨＰＬＣ測定を、画像形成材料１と同様にして行った。
その結果、上記ピークＡからピークＥが検出され、ピークＡのピーク面積の割合は、ピークＡからピークＥのピーク面積の合計の５．６％であった。
【０１０９】
［比較例５］
＜ペリミジン系スクアリリウム色素の調製＞
１−ヘキサノール１４．７ｇ（１８ｍｌ）とトルエン２３．４ｇ（２７ｍｌ）の混合液を用いる代わりに、１−ブタノール２４．３ｇ（３０ｍｌ）を用いた以外は、色素化合物Ａと同様にして、色素化合物Ｈを得た。
【０１１０】
＜画像形成材料８の調整＞
色素化合物Ａの代わりに色素化合物Ｈを用いた以外は、画像形成材料１と同様にして画像形成材料８を得た。
【０１１１】
−ＨＰＬＣ測定−
得られた画像形成材料８についてのＨＰＬＣ測定を、画像形成材料１と同様にして行った。
その結果、上記ピークＡからピークＥが検出され、ピークＡのピーク面積の割合は、ピークＡからピークＥのピーク面積の合計の３．９％であった。
【０１１２】
＜画像形成材料の評価＞
得られたフィルター上の画像形成材料を、１２０℃で熱圧着を行い、単位面積あたりの顔料量が０．０４５ｇ／ｍ２の評価用画像を作製した。
【０１１３】
−不可視性の評価−
得られた評価用画像について、反射分光濃度計（エックスライト株式会社製、ｘ−ｒｉｔｅ９３９）を用いて測定し、上記式（８）で表されるＣＩＥ１９７６Ｌ＊ａ＊ｂ＊表色系における色差（ΔＥ）及び画像部における波長８５０ｎｍの赤外線反射率（Ｒ）を求めた。結果を表１に示す。
【０１１４】
【表１】
0005526765.tif 000010
【０１１５】
表１に示された評価結果から分かるように、実施例においては、比較例に比べてΔＥ値が低く、不可視性に優れた画像が形成されることが分かる。
【図１】
0005526765.tif 000025
【図２】
0005526765.tif 000026